(57)【要約】      （修正有）【課題】体型補正可能となり、かつ着物の着付けを容易にする体型補正用具を提供する。【解決手段】体型補正用具が、体型補正対象の腰部に固定可能な腰部パッド２０と、胸腹部に固定可能な胸腹部パッド１０とからなり、腰部パッド２０は、略帯状で、腰部に固定されるための伸縮可能なベルトと、体型補正対象の腰部に固定されたときに体型補正対象の腰部下辺から臀部上辺までの腰臀部に配される腰臀部補正領域と、胸腹部パッド１０を係止する係止部とを備え、胸腹部パッド１０は、略帯状で、長手方向の両端部に係止部に係止可能な被係止部を備え、着付けの際に利用可能な係止領域と、体型補正対象の腰部に固定された腰部パッド２０の係止部における体型補正対象の側腰部近傍に位置する箇所に被係止部が係止されることにより、体型補正対象の胸部下辺から腹部下辺までの胸腹部に配される胸腹部補正領域を備える。【選択図】図４
0003159403.tif 000002
【実用新案登録請求の範囲】
【請求項１】
体型補正用具であって、
体型補正対象の腰部に固定可能な腰部パッドと、胸腹部に固定可能な胸腹部パッドとからなり、
前記腰部パッドは、
略帯状で、
前記腰部に固定されるための伸縮可能なベルトと、
前記体型補正対象の腰部に固定されたときに該体型補正対象の腰部下辺から臀部上辺までの腰臀部に配される腰臀部補正領域と、
前記胸腹部パッドを係止する係止部とを備え、
前記胸腹部パッドは、
略帯状で、
長手方向の両端部に前記係止部に係止可能な被係止部を備え、
着付けの際に利用可能な係止領域と、
前記体型補正対象の腰部に固定された前記腰部パッドの前記係止部における前記体型補正対象の側腰部近傍に位置する箇所に前記被係止部が係止されることにより、前記体型補正対象の胸部下辺から腹部下辺までの胸腹部に配される胸腹部補正領域を備えた  
ことを特徴とする体型補正用具。
【請求項２】
前記胸腹部パッドは、
表面と裏面を備え、
前記係止領域は、前記胸腹部パッドの表面に配された面ファスナーである
請求項１に記載の体型補正用具。
【考案の詳細な説明】
【技術分野】
【０００１】
本考案は、体型補正用具に関するものである。
【背景技術】
【０００２】
従来、着物の着付けには特殊な訓練が必要とされ、素人が１人で着付けを行なうのは非常に困難であった。
【０００３】
そのため、特に困難である、着物に帯を装着する方法に関しては、簡易化する方法が多数提案されている。例えば、こうした方法の一つに、着物の胴部に巻き付け可能な長さを有する全体形状が略細巾帯形の紐体と、該紐体の両端に設けられた係止手段と、該紐体の長手方向中央近傍に設けられた帯を保持する保持部より構成された補助ベルトを用いるものがある（特許文献１）。
【先行技術文献】
【特許文献】
【０００４】
【特許文献１】特開２００６−２１４０４９号公報
【考案の概要】
【考案が解決しようとする課題】
【０００５】
しかしながら、着物の着付けを困難とする原因は帯の装着だけではない。すなわち、着物を見栄え良く着るために、補正道具やタオルなどを着用者の身体の凹凸がなくなるように固定することで、体型をいわゆる寸胴に補正する作業を要することが着物の着付けを困難とする原因となっていた。特に、従来の方法では、補正道具やタオルを体に固定するときに紐を用いるのが一般的であり、結び目の大きさや締め付け具合などの調整が煩わしいという問題があった。
【０００６】
本考案は、上記の問題を解決すべく、体型補正可能となり、かつ着物の着付けを容易にすることを目的とする。
【課題を解決するための手段】
【０００７】
本考案の体型補正用具は、体型補正用具であって、体型補正対象の腰部に固定可能な腰部パッドと、胸腹部に固定可能な胸腹部パッドとからなり、前記腰部パッドは、略帯状で、前記腰部に固定されるための伸縮可能なベルトと、前記体型補正対象の腰部に固定されたときに該体型補正対象の腰部下辺から臀部上辺までの腰臀部に配される腰臀部補正領域と、前記胸腹部パッドを係止する係止部とを備え、前記胸腹部パッドは、略帯状で、長手方向の両端部に前記係止部に係止可能な被係止部を備え、着付けの際に利用可能な係止領域と、前記体型補正対象の腰部に固定された前記腰部パッドの前記係止部における前記体型補正対象の側腰部近傍に位置する箇所に前記被係止部が係止されることにより、前記体型補正対象の胸部下辺から腹部下辺までの胸腹部に配される胸腹部補正領域を備えたことを特徴とする。
【０００８】
上記の構成としたことで、体型補正可能となり、かつ着物の着付けを容易にすることができるようになる。
【０００９】
すなわち、伸縮可能なベルトで腰部に腰部パッドを固定し、その上から係止部と被係止部により胸腹部に胸腹部パッドを固定することができるようになるので、紐を結ぶような作業が不要となり、体型補正作業が容易となる。また、係止部の係止可能領域を広げることにより、胸腹部パッドの帯体を係止する位置に自由度を持たせることができ、容易に締め付け具合を調節することができるようになる。
【００１０】
前記胸腹部パッドは、表面と裏面を備え、前記係止領域は、前記胸腹部パッドの表面に配された面ファスナーである構成とされていてもよい。
【考案の効果】
【００１１】
本考案によれば、体型補正可能となり、かつ着物の着付けを容易にすることができるようになる。
【図面の簡単な説明】
【００１２】
【図１】胸腹部パッドの構成例を説明するための説明図である。
【図２】腰部パッドの構成例を説明するための説明図である。
【図３】腰部パッドの構成例を説明するための説明図である。
【図４】体型補正用具の使用方法について説明するための説明図である。
【考案を実施するための形態】
【００１３】
以下、本考案の一実施の形態について図面を参照して説明する。
【００１４】
本考案の一実施の形態を示す体型補正用具１００は、胸腹部（または胸部）パッド１０と、腰部パッド２０とからなる。図１〜３は、体型補正用具１００を構成する各部の構成例を説明するための説明図である。なお、図１において、胸腹部パッド１０を、正面図、側面図、及び背面図により示し、図２において、腰部パッド２０を正面図と側面図により示し、図３において、腰部パッド２０を背面図により示す。なお、各種パッドにおいて、体型補正対象となるもの（以下、着用者という。）の身体に固定されたときに外観から視認できる面が正面（表面）であり、外観から視認できない面が背面（裏面）であることとする。
【００１５】
ここで、各種パッドは、綿などの詰め物が例えば布等の被覆材により覆われた構成であり、それぞれ固定予定箇所に応じた量の詰め物（すなわち、体型の補正に必要な量の詰め物）が詰められている。また、各種パッドは、固定予定箇所に応じた形状とされていることが好ましい。なお、各種パッドが、詰め物の量を調整可能な構成としてもよい。この場合、例えば被覆材の一部に、ファスナーなど開閉可能な部分を設ける構成とし、開閉口から詰め物を出し入れ可能な構成とすればよい。
【００１６】
図１は、着用者の胸腹部に固定して胸部から下腹部にかけての体型を補正するための胸腹部パッド１０の構成例を説明するための説明図である。図１（Ａ）に示すように、胸腹部パッド１０は、略帯状で、着用者の胸腹部に着用されたときに着用者の胸部から下腹部にかけて形成される起伏を平坦にするため（すなわち、身体の凹凸をなくし、筒型の体型にするため）の胸腹部補正領域１０ａを備える。また、胸腹部パッド１０の表面にはマジックテープ部分１１が備えられている。なお、本例においては、胸腹部パッド１０は、中心近傍に、他の部分に詰められた詰め物１２と異なる種類の詰め物１３が詰められている。
【００１７】
一方、図１（Ｂ）に示すように、胸腹部パッド１０の裏面には、長手方向の両端部にマジックテープ１４が逢着されている。なお、各種パッドにマジックテープ（登録商標）などの面ファスナーを固定する方法は逢着だけに限定されるものではなく、例えば布用接着剤などで固定されていてもよい。
【００１８】
図２は、着用者の腰部（または臀部上辺）に固定して背面の体型を補正するための腰部パッド２０の構成例を説明するための説明図である。図２に示すように、腰部パッド２０は、略帯状で、着用者の腰部に固定されたときに着用者の背中（特に、腰部下辺から臀部上辺までの腰臀部）に形成されるくぼみを埋めるための臀部補正領域２０ａを備える。また、腰部パッド２０の表面にマジックテープ部分２１を含む。また、腰部パッド２０は、長手方向の一端に、伸縮性の素材（例えばゴムなど）からなるベルト２２の一端が縫着される。
【００１９】
また、図３に示すように、ベルト２２の裏面には、マジックテープ２３が逢着される。また、図３に示すように、本例における腰部パッド２０は、着用者に装着されたときに着用者のウエスト部（特に、側腰部）に位置することとなる部分に、ポリエステルの硬い芯２４が入っているものとする。これにより、着用者のウエスト部分に関して、体型補正と同時に保護も行うことができる。
【００２０】
なお、腰部パッド２０において、臀部補正領域２０ａを構成する部分が取り外し可能な構成とされていてもよい。この場合、腰部パッド２０に対して臀部補正領域２０ａを取り付ける位置を調節可能とすることで、より着用者の体型に合わせた補正ができるようになる。なお、この場合の取り付け方法としても、マジックテープを利用することが考えられる。
【００２１】
次に、体型補正用具１００を用いた体型補正方法（体型補正用具１００の使用方法）について説明する。
【００２２】
図４は、体型補正用具１００の使用方法について説明するための説明図である。体型補正用具１００を用いて体型補正作業を行なう場合、先ず、着用者２００は、図４（Ａ）に示すように、自己の体型に合わせて腰部パッド２０を身体に巻きつけ、マジックテープ２３をマジックテープ部分２１に張り合わせることにより固定する。
【００２３】
腰部パッド２０を固定すると、着用者２００は、図４（Ｂ）に示すように、胸腹部パッド１０の２つのマジックテープ１４を、それぞれ腰部パッド２０のマジックテープ部分２１に貼り付けることにより、体型の補正が必要な位置に胸腹部パッド１０を固定する。本例においては、マジックテープ１４が、マジックテープ部分２１における着用者２００の側腰部近傍に位置する部分に貼り付けられることにより固定され、胸腹部補正領域１０ａが着用者２００の胸部下辺から腹部下辺の位置に配されることとなる。
【００２４】
以上に説明したように、上述した実施の形態では、体型補正用具１００が、体型補正対象（例えば、着用者２００）の腰部に固定可能な腰部パッド２０と、胸腹部に固定可能な胸腹部パッド１０とからなり、腰部パッド２０は、略帯状で、腰部に固定されるための伸縮可能なベルト２２と、体型補正対象の腰部に固定されたときに体型補正対象の腰部下辺から臀部上辺までの腰臀部に配される腰臀部補正領域２０ａと、胸腹部パッド１０を係止する係止部（例えば、マジックテープ部分２１）とを備え、胸腹部パッド１０は、略帯状で、長手方向の両端部に係止部（例えば、マジックテープ部分２１）に係止可能な被係止部（例えば、マジックテープ１４）を備え、着付けの際に利用可能な係止領域（例えば、マジックテープ部分１１）と、体型補正対象の腰部に固定された腰部パッド２０の係止部（例えば、マジックテープ部分２１）における体型補正対象の側腰部近傍に位置する箇所に被係止部（例えば、マジックテープ１４）が係止されることにより、体型補正対象の胸部下辺から腹部下辺までの胸腹部に配される胸腹部補正領域１０ａを備えた構成としているので、体型補正可能となり、かつ着物の着付けを容易にすることができるようになる。
【００２５】
すなわち、伸縮可能なベルトで腰部に腰部パッドを固定し、その上から係止部を用いて胸腹部に胸腹部パッドを固定することができるようになるので、紐を結ぶような作業が不要となり、体型補正作業が容易となる。また、係止部の係止可能領域を広げることにより、胸腹部パッドの帯体を係止する位置に自由度を持たせることができ、容易に締め付け具合を調節することができるようになる。
【００２６】
また、例えば、着物を着るとき（着付けを行なうとき）に、衣紋をぬいて（着物を着たときに首の後ろと襟の間に隙間を作ること。）、ぬいた衣紋をくずさないように下前の襟をあわせ、次に上前をあわせる必要がある。このとき、胸腹部パッドの表面に備えたマジックテープを利用して下襟を固定することで、後の行程で、襟合わせが好みの角度に固定できたり、下裾（下前）の角度（褄上がり）が固定できるようになる。なお、胸腹部パッドの表面に備えられたマジックテープ部分の利用方法としては、例えば、予め下襟（下前）にマジックテープに係止可能な係止部を備えた着物を用いたり、一端に衿下に取付可能なクリップを備え他端にマジックテープに係止可能な係止部を備えた着付け補助具（以下、補助クリップという）を用いたりする方法など、種々の方法が考えられる。特に、補助クリップのクリップ部分を着物の衿や衿下に取り付けて、補助クリップと胸腹部パッドの表面のマジックテープ部分とを貼り合わせて固定することにより、着付けの最中であっても着用者が両手を着物から離すことができるようになる。これにより、従来の着付けの習得期間に比べ、着用者が飛躍的に短期間で着付けをマスターできるなど、着付けに伴う障害を取り除けるようになる。
【００２７】
また、上述した実施の形態では、胸腹部パッド１０が、表面と裏面を備え、係止領域は、胸腹部パッド１０の表面の面ファスナー（例えば、マジックテープ部分１１）である構成としているので、着物を着るときにマジックテープを利用することにより、着付けを補助することができるようになる。また、着崩れを防止することができるようになる。
【００２８】
なお、上述した実施の形態では特に言及していないが、各補正領域（例えば、胸腹部補正領域１０ａと臀部補正領域２０ａ）の形状は本例における図１〜４に示したような円形状のものに限定されず、例えば多角形状など、どのような形状であってもよい。
【産業上の利用可能性】
【００２９】
本考案によれば、体型補正可能となり、かつ着物の着付けを容易にすることができるようにするのに有用である。
【符号の説明】
【００３０】
１０      胸腹部パッド
１０ａ    胸腹部補正領域
１１      マジックテープ部分
１２      詰め物
１３      詰め物
１４      マジックテープ
２０      腰部パッド
２０ａ    臀部補正領域
２１      マジックテープ部分
２２      ベルト
２３      マジックテープ
２４      芯
１００    体型補正用具
【図１】
0003159403.tif 000003
【図２】
0003159403.tif 000004
【図３】
0003159403.tif 000005
【図４】
0003159403.tif 000006